(57)【要約】  【課題】本発明は、複数接続されたレシーバの供給電圧が変動しても各々から引き込む電流に変動を生じることがなく、かつ、各レシーバの電流供給能力を有効に活用することが可能な受信装置を提供することを目的とする。  【解決手段】本発明に係るＬＮＢ１０は、レシーバ２０ａ、２０ｂが各々着脱されるポート１３ａ、１３ｂと、各々電源経路を異にする内部回路Ａ〜Ｃと、レシーバ２０ａ、２０ｂから電源供給を受けて内部回路Ａ〜Ｃの駆動電圧ＶＡ〜ＶＣを生成する電源回路１２と、を有して成り、レシーバ２０ａ、２０ｂの接続状況や機種に応じて、内部回路Ａ〜Ｃ毎にその消費電流ＩＡ〜ＩＣの引き込み先となるレシーバを振り分ける構成としている。【選択図】      図１
2005102016.tif 000002
【特許請求の範囲】
【請求項１】
レシーバが各々着脱される複数の外部端子と、各々電源経路を異にする複数の内部回路と、前記レシーバから電源供給を受けて前記内部回路の駆動電圧を生成する電源回路と、を有して成り、前記電源回路は、前記レシーバの接続状況、或いは接続状況と機種に応じて、前記内部回路毎に、その消費電流の引き込み先となるレシーバを振り分けることを特徴とする受信装置。
【請求項２】
前記電源回路は、前記内部回路毎に、各内部回路への電源経路を切り換える電流制御回路を有して成ることを特徴とする請求項１に記載の受信装置。
【請求項３】
前記電流制御回路は、前記レシーバが複数接続されている場合において、１つの内部回路が複数のレシーバに接続された状態とならないように、かつ、全ての内部回路が１つのレシーバに接続された状態とならないように、各内部回路への電源経路を切り換えることを特徴とする請求項２に記載の受信装置。
【請求項４】
前記電流制御回路は、前記内部回路の駆動電圧を生成するレギュレータと、所定の外部端子に前記レシーバが接続されていれば、該所定の外部端子から前記レギュレータへの電源経路を残して、他の外部端子から前記レギュレータへの電源経路を全て遮断するスイッチ部と、を有して成ることを特徴とする請求項３に記載の受信装置。
【請求項５】
前記スイッチ部は、所定の外部端子に与えられる直流電圧の有無に応じて開閉するトランジスタ等の電子スイッチを有して成ることを特徴とする請求項４に記載の受信装置。
【請求項６】
前記レシーバの接続状況、或いは接続状況と機種を判別して前記電流制御回路に指示を送るマイコンを有して成り、前記電流制御回路は、前記マイコンの指示に応じて、１つの内部回路が複数のレシーバに接続された状態とならないように、各内部回路への電源経路を切り換えることを特徴とする請求項２に記載の受信装置。
【請求項７】
前記マイコンは、前記レシーバが複数接続されている場合において、電流供給能力の高いレシーバから優先して前記内部回路の消費電流を引き込むように、前記電流制御回路に指示を送ることを特徴とする請求項６に記載の受信装置。
【請求項８】
前記電流制御回路は、前記内部回路の駆動電圧を生成するレギュレータと、前記マイコンの指示に応じて各外部端子から前記レギュレータへの電源経路を各々開閉するスイッチ部と、を有して成ることを特徴とする請求項６に記載の受信装置。
【発明の詳細な説明】
【技術分野】
【０００１】
本発明は、複数のレシーバを接続できる受信装置に関するものであり、特に衛星放送受信システムを構成するＬＮＢ［Low Noise Block down converter］に関するものである。
【背景技術】
【０００２】
図６は、ＬＮＢの一従来例を示すブロック図である。本図に示すＬＮＢ１００は、図示しない反射器を介して受信される衛星信号から複数のチャンネル信号を抽出して低雑音増幅し、レシーバ２００ａ、２００ｂの要求するチャンネル信号を選択送出する受信回路１０１と、ＬＮＢ１００の電源電圧を生成する電源回路１０２と、レシーバ２００ａ、２００ｂが各々接続されるポート１０３ａ、１０３ｂと、を有して成る。また、電源回路１０２は、アノードがポート１０３ａ、１０３ｂに各々接続され、カソードが互いに接続されたダイオードＤａ、Ｄｂと、入力端がダイオードＤａ、Ｄｂの両カソードに接続されたレギュレータＲＥＧと、を有して成る。
【０００３】
上記構成から成るＬＮＢ１００において、電源回路１０２には、ポート１０３ａ、１０３ｂを介してレシーバ２００ａ、２００ｂからの直流電圧Ｖａ、Ｖｂが与えられており、レギュレータＲＥＧは、直流電圧Ｖａ、Ｖｂから所定の直流電圧（例えば３［Ｖ］）を生成してＬＮＢ１００各部に供給する。
【０００４】
なお、直流電圧Ｖａ、Ｖｂは、レギュレータＲＥＧの入力電圧として用いられる一方、受信回路１０１の出力選択信号としても用いられており、所望チャンネル信号の周波数帯域に応じて、各々複数の電圧レベル（例えば、１３［Ｖ］と１８［Ｖ］の２値）に変遷される。このとき、直流電圧Ｖａが直流電圧Ｖｂより高ければ、ダイオードＤａのみがオン状態となり、直流電圧ＶａがレギュレータＲＥＧの入力電圧とされる。逆に、直流電圧Ｖｂが直流電圧Ｖａより高い場合は、ダイオードＤｂのみがオン状態となり、直流電圧ＶｂがレギュレータＲＥＧの入力電圧とされる。
【特許文献１】特開２００１−１２７６６１号公報
【特許文献２】特開２００２−２１８３２９号公報
【発明の開示】
【発明が解決しようとする課題】
【０００５】
確かに、上記構成から成るＬＮＢ１００であれば、受信チャンネルの切換えに際して、ポート１０３ａ、１０３ｂに各々与えられる直流電圧Ｖａ、Ｖｂに差違が生じた場合であっても、ダイオードＤａ、Ｄｂの整流作用によって、高電位ポートから低電位ポートへの逆流電流が防止されるので、該逆流電流によるレシーバ破壊を回避することができる。
【０００６】
しかしながら、上記構成から成るＬＮＢ１００のように、複数接続されたレシーバ２００ａ、２００ｂから各々供給される電流Ｉａ、Ｉｂを単にダイオード合算して消費する構成では、直流電圧Ｖａ、Ｖｂに差違が生じた場合、より高電圧を供給するレシーバのみからＬＮＢ１００の全消費電流が引き込まれ、他方のレシーバからは一切電流が引き込まれないことになっていた。そのため、上記構成から成るＬＮＢ１００では、受信チャンネルの切換えに際して直流電圧Ｖａ、Ｖｂの大小関係が逆転される度に、電流Ｉａ、Ｉｂが大きく変動し、該電流変動に起因して生じるノイズによってＬＮＢ１００の誤動作や受信映像の乱れが招かれるという課題があった。
【０００７】
なお、上記課題を解決するために、従来より、レシーバが複数接続された場合には、各レシーバから与えられる直流電圧の大小に関係なく、所定ポートに接続されたレシーバから優先的に電流を引き込むようにした受信装置や、装置の全消費電流を各ポートに等分配することで、複数接続されたレシーバ各個から一定の電流を引き込むようにした受信装置が本願出願人によって開示・提案されている（特許文献１、２を参照）。
【０００８】
確かに、上記した特許文献１、２の受信装置であれば、受信チャンネルの切換えに際して、複数接続されたレシーバから各々与えられる直流電圧の大小関係に変動が生じた場合でも、各レシーバから引き込まれる電流には変動が生じないので、該電流変動に起因するノイズも発生せず、受信装置の誤動作や受信映像の乱れが招かれることもなくなる。
【０００９】
しかしながら、特許文献１の受信装置では、所定ポート以外に接続されたレシーバの電流供給能力を全く活用することができないため、所定ポートに電流供給能力の低いレシーバが接続された場合には、たとえ他ポートに電流供給能力の高いレシーバが接続されていたとしても、電流供給不足で正常に動作できなくなるおそれがあった。
【００１０】
また、特許文献２の受信装置では、各ポートに接続されるレシーバの種類に関係なく、単に装置の全消費電流を各ポートに等分配することしかできないため、例えば、電流供給能力の異なるレシーバが複数接続された際に、最も電流供給能力の大きいレシーバから優先して電流を消費する、といった柔軟な対応をとるができず、各レシーバの電流供給能力を有効に活用することができなかった。
【００１１】
本発明は、上記の問題点に鑑み、複数接続されたレシーバの供給電圧が変動しても各々から引き込む電流に変動を生じることがなく、かつ、各レシーバの電流供給能力を有効に活用することが可能な受信装置を提供することを目的とする。
【課題を解決するための手段】
【００１２】
上記目的を達成するために、本発明に係る受信装置は、レシーバが各々着脱される複数の外部端子と、各々電源経路を異にする複数の内部回路と、前記レシーバから電源供給を受けて前記内部回路の駆動電圧を生成する電源回路と、を有して成り、前記電源回路は、前記レシーバの接続状況、或いは接続状況と機種に応じて、前記内部回路毎に、その消費電流の引き込み先となるレシーバを振り分ける構成としている。このように、受信回路の内部回路を切り分けて消費電流を細分化したことにより、受信回路の消費電流を従来よりも自由度高くレシーバに振り分けることが可能となる。従って、受信回路毎に消費電流の引き込み先を適切に振り分けることにより、受信チャンネルの切換えに際して複数接続されたレシーバの供給電圧に変動が生じた場合でも、各々から引き込む電流に変動を生じることがなく、かつ、各レシーバの電流供給能力を有効に活用することが可能となる。
【００１３】
なお、上記構成から成る受信装置において、前記電源回路は、前記内部回路毎に、各内部回路への電源経路を切り換える電流制御回路を有して成る構成にするとよい。このような構成とすることにより、内部回路毎のレシーバ振り分け制御を比較的容易に実現することが可能となる。
【００１４】
より具体的に述べると、上記構成から成る受信装置において、前記電流制御回路は、前記レシーバが複数接続されている場合において、１つの内部回路が複数のレシーバに接続された状態とならないように、かつ、全ての内部回路が１つのレシーバに接続された状態とならないように、各内部回路への電源経路を切り換える構成にするとよい。このような構成とすることにより、複数接続されたレシーバの供給電圧が変動しても各々から引き込む電流に変動を生じることがないので、該電流変動に起因するノイズが発生することもなく、受信装置の誤動作や受信映像の乱れを回避することができる。また、各レシーバの電流供給能力を有効に活用することも可能となる。
【００１５】
また、上記構成から成る受信装置において、前記電流制御回路は、前記内部回路の駆動電圧を生成するレギュレータと、所定の外部端子に前記レシーバが接続されていれば、該所定の外部端子から前記レギュレータへの電源経路を残して、他の外部端子から前記レギュレータへの電源経路を全て遮断するスイッチ部と、を有して成る構成にするとよい。このような構成とすることにより、前記内部回路の消費電流を所定の外部端子に接続されたレシーバから優先して引き込むことが可能となる。
【００１６】
また、上記構成から成る受信装置において、前記スイッチ部は、所定の外部端子に与えられる直流電圧の有無に応じて開閉するトランジスタ等の電子スイッチを有して成る構成にするとよい。このような構成とすることにより、電源回路単独でレシーバの接続状況に応じた消費電流の振り分け制御を行うことが可能となる。
【００１７】
一方、上記構成から成る受信装置は、前記レシーバの接続状況、或いは接続状況と機種を判別して前記電流制御回路に指示を送るマイコンを有して成り、前記電流制御回路は、前記マイコンの指示に応じて、１つの内部回路が複数のレシーバに接続された状態とならないように、各内部回路への電源経路を切り換える構成としてもよい。このような構成とすることにより、上記と同様、複数接続されたレシーバの供給電圧が変動しても各々から引き込む電流に変動を生じることがないので、該電流変動に起因するノイズが発生することもなく、受信装置の誤動作や受信映像の乱れを回避することができる。また、レシーバの接続状況や機種に応じて、受信装置の動作に必須でない回路や消費電力の大きい回路への電源供給を遮断することもできるので、受信装置の動作安定性を高めるとともに、消費電力の低減を図ることが可能となる。
【００１８】
なお、上記構成から成る受信装置において、前記マイコンは、前記レシーバが複数接続されている場合において、電流供給能力の高いレシーバから優先して前記内部回路の消費電流を引き込むように、前記電流制御回路に指示を送る構成にするとよい。このような構成とすることにより、各レシーバの電流供給能力を有効に活用することが可能となる。
【００１９】
また、上記構成から成る受信装置において、前記電流制御回路は、前記内部回路の駆動電圧を生成するレギュレータと、前記マイコンの指示に応じて各外部端子から前記レギュレータへの電源経路を各々開閉するスイッチ部と、を有して成る構成にするとよい。このような構成とすることにより、比較的簡易な回路構成で、マイコンからの指示に応じた電源経路切り換えを実現することが可能となる。
【発明の効果】
【００２０】
上記したように、本発明に係る受信装置であれば、複数接続されたレシーバの供給電圧が変動しても各々から引き込む電流に変動を生じることがなく、かつ、各レシーバの電流供給能力を有効に活用することが可能となる。
【発明を実施するための最良の形態】
【００２１】
図１は本発明に係るＬＮＢの構成を概念的に示すブロック図である。本図に示す通り、本発明に係るＬＮＢ１０は、図示しない反射器を介して受信される衛星信号から複数のチャンネル信号を抽出して低雑音増幅し、レシーバ２０ａ、２０ｂの要求するチャンネル信号を選択送出する受信回路１１と、ＬＮＢ１０の電源電圧を生成する電源回路１２と、レシーバ２０ａ、２０ｂが各々接続されるポート１３ａ、１３ｂと、を有して成る。
【００２２】
上記構成から成るＬＮＢ１０において、電源回路１２には、ポート１３ａ、１３ｂを介してレシーバ２０ａ、２０ｂからの直流電圧Ｖａ、Ｖｂが与えられており、該電源回路１２は、直流電圧Ｖａ、Ｖｂから所定の直流電圧ＶＡ〜ＶＣ（例えば３［Ｖ］）を生成して各々電源経路を異にする内部回路Ａ〜Ｃに供給する。なお、内部回路Ａ〜Ｃは、ＬＮＢ１０の内部回路をその消費電力やレシーバとの相関関係に基づいて複数に切り分けたものであり、受信回路１１を構成するＬＮＡ［Low Noise Amplifier］や局部発振器、ミキサ、セレクタなどを含むものである。
【００２３】
また、レシーバ２０ａ、２０ｂから与えられる直流電圧Ｖａ、Ｖｂは、電源回路１２の入力電圧として用いられる一方、受信回路１１の出力選択信号としても用いられており、所望チャンネル信号の周波数帯域に応じて、各々複数の電圧レベル（例えば、１３［Ｖ］と１８［Ｖ］の２値）に変遷される。
【００２４】
ここで、本発明に係るＬＮＢ１０の電源回路１２は、レシーバ２０ａ、２０ｂの接続状況、或いは接続状況と機種に応じて、複数に切り分けられた内部回路Ａ〜Ｃ毎に、その消費電流ＩＡ〜ＩＣの引き込み先となるレシーバを振り分ける構成としている。
【００２５】
このように、ＬＮＢ１０の内部回路を切り分けて消費電流を細分化したことにより、ＬＮＢ１０の消費電流を従来よりも自由度高くレシーバ２０ａ、２０ｂに振り分けることが可能となる。すなわち、従来であれば、ＬＮＢ１０の全消費電流を１つのレシーバから引き込むか、全てのレシーバに均等分配するしかなかったところ、本発明に係るＬＮＢ１０では、消費電流ＩＡはレシーバ２０ａから引き込み、消費電流ＩＢはレシーバ２０ｂから引き込む、といった具合に柔軟な対応をとることができるようになる。
【００２６】
従って、本発明に係るＬＮＢ１０では、消費電流ＩＡ〜ＩＣの引き込み先を適切に振り分けることにより、受信チャンネルの切換えに際して複数接続されたレシーバ２０ａ、２０ｂの供給電圧Ｖａ、Ｖｂの大小関係に変動が生じた場合でも、各々から引き込む電流Ｉａ、Ｉｂに変動を生じることがなく、かつ、各レシーバ２０ａ、２０ｂの電流供給能力を有効に活用することが可能となる。
【００２７】
なお、本発明に係るＬＮＢ１０において、電源回路１２は、図２に示すように、内部回路Ａ〜Ｃ毎に、各内部回路への電源経路を切り換える第１〜第３電流制御回路１２１〜１２３を有して成る構成にするとよい。このような構成とすることにより、内部回路Ａ〜Ｃ毎の消費電流振り分け制御を比較的容易に実現することが可能となる。
【００２８】
続いて、電流制御回路１２１〜１２３の第１実施形態について、図３を参照しながら詳細に説明する。図３は電流制御回路１２１〜１２３の第１実施形態を示す回路図である。
【００２９】
本図に示すように、電流制御回路１２１は、ダイオードＤ１ａ、Ｄ１ｂと、レギュレータＲＥＧ１と、スイッチＳＷ１、ＳＷ１’と、抵抗Ｒ１と、を有して成る。ダイオードＤ１ａのアノードは、スイッチＳＷ１の一端に接続されており、ダイオードＤ１ｂのアノードは、ポート１３ｂに接続されている。ダイオードＤ１ａ、Ｄ１ｂのカソードは互いに接続されており、その接続ノードは、レギュレータＲＥＧ１の入力端に接続されている。レギュレータＲＥＧ１の出力端は、内部回路Ａの電源入力端に接続されている。スイッチＳＷ１の他端はポート１３ａに接続されている。抵抗Ｒ１の一端はポート１３ａに接続されており、他端はスイッチＳＷ１の制御端に接続される一方、スイッチＳＷ１’の一端にも接続されている。スイッチＳＷ１’の他端は接地されている。スイッチＳＷ１’の制御端は、ポート１３ｂに接続されている。
【００３０】
電流制御回路１２２は、ダイオードＤ２ａ、Ｄ２ｂと、レギュレータＲＥＧ２と、スイッチＳＷ２、ＳＷ２’と、抵抗Ｒ２と、を有して成る。ダイオードＤ２ａのアノードは、ポート１３ａに接続されており、ダイオードＤ２ｂのアノードは、スイッチＳＷ２の一端に接続されている。ダイオードＤ２ａ、Ｄ２ｂのカソードは互いに接続されており、その接続ノードは、レギュレータＲＥＧ２の入力端に接続されている。レギュレータＲＥＧ２の出力端は、内部回路Ｂの電源入力端に接続されている。スイッチＳＷ２の他端はポート１３ｂに接続されている。抵抗Ｒ２の一端はポート１３ｂに接続されており、他端はスイッチＳＷ２の制御端に接続される一方、スイッチＳＷ２’の一端にも接続されている。スイッチＳＷ２’の他端は接地されている。スイッチＳＷ２’の制御端は、ポート１３ａに接続されている。
【００３１】
電流制御回路１２３は、レギュレータＲＥＧ３と、スイッチＳＷ３と、を有して成る。レギュレータＲＥＧ３の入力端はスイッチＳＷ３の一端に接続されており、出力端は内部回路Ｃの電源入力端に接続されている。スイッチＳＷ３の他端はポート１３ａに接続されており、制御端はポート１３ｂに接続されている。
【００３２】
なお、上記したスイッチＳＷ１は、図４に示すように、ｐｎｐ型バイポーラトランジスタＱａと、ｎｐｎ型バイポーラトランジスタＱｂと、抵抗Ｒａ〜Ｒｄと、を有して成る。トランジスタＱａのエミッタは、スイッチＳＷ１の入力端に相当し、抵抗Ｒａの一端に接続されている。スイッチＱａのコレクタは、スイッチＳＷ１の出力端に相当する。トランジスタＱａのベースは、抵抗Ｒｂの一端に接続されている。抵抗Ｒａ、Ｒｂの他端は互いに接続されており、その接続ノードは、トランジスタＱｂのコレクタに接続されている。トランジスタＱｂのエミッタは、抵抗Ｒｄの一端に接続される一方、グランドにも接続されている。トランジスタＱｂのベースは、抵抗Ｒｄの他端に接続される一方、抵抗Ｒｃの一端にも接続されている。抵抗Ｒｃの他端は、スイッチＳＷ１の制御端に相当する。上記構成から成るスイッチＳＷ１は、制御端がハイレベルとされたときにオン状態となり、ローレベルとされたときにオフ状態となる。スイッチＳＷ１’、ＳＷ２、ＳＷ２’、ＳＷ３も同様の構成から成り、上記と同様の開閉動作を示す。
【００３３】
上記構成から成るＬＮＢ１０において、ポート１３ａ、１３ｂ双方にレシーバが接続されている場合、電流制御回路１２１では、直流電圧Ｖｂの印加に応じてスイッチＳＷ１’がオン状態となり、スイッチＳＷ１がオフ状態となるため、ポート１３ａからレギュレータＲＥＧ１への電源経路が遮断される。このように、電流制御回路１２１は、ポート１３ｂにレシーバが接続されていれば、該ポート１３ｂからレギュレータＲＥＧ１への電源経路を残して、他方の電源経路を遮断する構成である。従って、内部回路Ａの消費電流ＩＡは、ポート１３ｂに接続されたレシーバ２０ｂから優先して引き込まれることになる。
【００３４】
一方、電流制御回路１２２では、直流電圧Ｖ１ａの印加に応じてスイッチＳＷ２’がオン状態となり、スイッチＳＷ２がオフ状態となるため、ポート１３ｂからレギュレータＲＥＧ２への電源経路が遮断される。このように、電流制御回路１２２は、ポート１３ａにレシーバが接続されていれば、該ポート１３ａからレギュレータＲＥＧ２への電源経路を残して、他方の電源経路を遮断する構成である。従って、内部回路Ｂの消費電流ＩＢは、ポート１３ａに接続されたレシーバ２０ａから優先して引き込まれることになる。
【００３５】
また、電流制御回路１２３では、直流電圧Ｖ１ｂの印加に応じてスイッチＳＷ３がオン状態となり、ポート１３ａからレギュレータ３への電源経路が確立される。従って、内部回路Ｃの消費電流ＩＣは、ポート１３ａに接続されたレシーバ２０ａから引き込まれることになる。
【００３６】
このように、上記構成から成るＬＮＢ１０において、電流制御回路１２１〜１２３は、ＬＮＢ１０にレシーバが複数接続されている場合において、１つの内部回路が複数のレシーバに接続された状態とならないように、かつ、全ての内部回路が１つのレシーバに接続された状態とならないように、各内部回路Ａ〜Ｃへの電源経路を切り換える構成としている。このような構成とすることにより、複数接続されたレシーバ２０ａ、２０ｂの供給電圧Ｖａ、Ｖｂが変動しても各々から引き込む電流Ｉａ、Ｉｂに変動を生じることがないので、該電流変動に起因するノイズが発生することもなく、ＬＮＢ１０の誤動作や受信映像の乱れを回避することができる。また、各レシーバ２０ａ、２０ｂの電流供給能力を有効に活用することも可能となる。
【００３７】
なお、上記構成から成るＬＮＢ１０において、ポート１３ａにのみレシーバ２０ａが接続されている場合、電流制御回路１２１では、スイッチＳＷ１’がオフ状態となってスイッチＳＷ１がオン状態となるため、ポート１３ａからレギュレータＲＥＧ１への電源経路が確立される。また、電流制御回路１２２では、常にポート１３ａからレギュレータＲＥＧ２への電源経路が確立されている。従って、内部回路Ａ、Ｂの消費電流ＩＡ、ＩＢは、いずれもポート１３ａに接続されたレシーバ２０ａから引き込まれることになる。一方、電流制御回路１２３ではスイッチＳＷ３がオフ状態となるため、内部回路Ｃへの電源供給が遮断される。
【００３８】
また、上記構成から成るＬＮＢ１０において、ポート１３ｂにのみレシーバ２０ｂが接続されている場合、電流制御回路１２２では、スイッチＳＷ２’がオフ状態となってスイッチＳＷ２がオン状態となるため、ポート１３ｂからレギュレータＲＥＧ２への電源経路が確立される。また、電流制御回路１２１では、常にポート１３ｂからレギュレータＲＥＧ１への電源経路が確立されている。従って、内部回路Ａ、Ｂの消費電流ＩＡ、ＩＢは、いずれもポート１３ｂに接続されたレシーバ２０ｂから引き込まれることになる。一方、電流制御回路１２３ではスイッチＳＷ３がオン状態となるものの、ポート１３ａにレシーバ２０ａが接続されていないため、内部回路Ｃへの電源供給は遮断される。
【００３９】
すなわち、電流制御回路１２３は、電流制御回路１２１、１２２と異なり、ポート１３ａ、１３ｂ双方にレシーバが接続されている場合にのみ、言い換えれば、レシーバからの電流供給能力が十分である場合にのみ、内部回路Ｃへの電源供給を行う構成である。このように、電流供給能力が十分でないときにはＬＮＢ１０の動作に必須でない回路や消費電力の大きい回路（ここでは内部回路Ｃ）への電源供給を控えることにより、ＬＮＢ１０の動作安定性を高めるとともに、消費電力の低減を図ることが可能となる。
【００４０】
なお、上記構成から成る電流制御回路１２１〜１２３のように、内部回路毎の電源経路を切り換える手段として、所定のポートに与えられる直流電圧の有無に応じて開閉するトランジスタ等の電子スイッチを用いる構成であれば、マイコン等からの指示を待つことなく、電源回路１２単独でレシーバの接続状況に応じた消費電流の振り分け制御を行うことが可能となる。
【００４１】
次に、電流制御回路１２１〜１２３の第２実施形態について、図４を参照しながら詳細に説明する。図４は電流制御回路１２１〜１２３の第２実施形態を示す回路図である。
【００４２】
本図に示すように、電流制御回路１２１は、ダイオードＤ１ａ、Ｄ１ｂと、レギュレータＲＥＧ１と、スイッチＳＷ１ａ、ＳＷ１ｂと、を有して成る。ダイオードＤ１ａのアノードは、スイッチＳＷ１ａの一端に接続されており、ダイオードＤ１ｂのアノードは、スイッチＳＷ１ｂの一端に接続されている。ダイオードＤ１ａ、Ｄ１ｂのカソードは互いに接続されており、その接続ノードは、レギュレータＲＥＧ１の入力端に接続されている。レギュレータＲＥＧ１の出力端は、内部回路Ａの電源入力端に接続されている。スイッチＳＷ１ａの他端はポート１３ａに接続されており、スイッチＳＷ１ｂの他端はポート１３ｂに接続されている。スイッチＳＷ１ａ、ＳＷ１ｂの各制御端は、レシーバの接続状況と機種を判別して電流制御回路１２１に指示を送るマイコン１４に接続されている。
【００４３】
電流制御回路１２２は、ダイオードＤ２ａ、Ｄ２ｂと、レギュレータＲＥＧ２と、スイッチＳＷ２ａ、ＳＷ２ｂと、を有して成る。ダイオードＤ２ａのアノードは、スイッチＳＷ２ａの一端に接続されており、ダイオードＤ２ｂのアノードは、スイッチＳＷ２ｂの一端に接続されている。ダイオードＤ２ａ、Ｄ２ｂのカソードは互いに接続されており、それらの接続ノードは、レギュレータＲＥＧ２の入力端に接続されている。レギュレータＲＥＧ２の出力端は、内部回路Ｂの電源入力端に接続されている。スイッチＳＷ２ａの他端はポート１３ａに接続されており、スイッチＳＷ２ｂの他端はポート１３ｂに接続されている。スイッチＳＷ２ａ、ＳＷ２ｂの各制御端は、マイコン１４に接続されている。
【００４４】
電流制御回路１２３は、ダイオードＤ３ａ、Ｄ３ｂと、レギュレータＲＥＧ３と、スイッチＳＷ３ａ、ＳＷ３ｂと、を有して成る。ダイオードＤ３ａのアノードは、スイッチＳＷ３ａの一端に接続されており、ダイオードＤ３ｂのアノードは、スイッチＳＷ３ｂの一端に接続されている。ダイオードＤ３ａ、Ｄ３ｂのカソードは互いに接続されており、それらの接続ノードは、レギュレータＲＥＧ３の入力端に接続されている。レギュレータＲＥＧ３の出力端は、内部回路Ｃの電源入力端に接続されている。スイッチＳＷ３ａの他端はポート１３ａに接続されており、スイッチＳＷ３ｂの他端はポート１３ｂに接続されている。スイッチＳＷ３ａ、ＳＷ２３の各制御端は、マイコン１４に接続されている。
【００４５】
上記構成から成るＬＮＢ１０において、マイコン１４は、電流制御回路１２１〜１２３への指示に先立ち、レシーバの接続状況だけでなく、型番等から接続されたレシーバの機種を判別し、各レシーバの電流供給能力等に基づいて、内部回路Ａ〜Ｃの消費電流ＩＡ〜ＩＣをいずれのレシーバから引き込むかを決定する。
【００４６】
本図の場合、マイコン１４は、電流制御回路１２１に対して、スイッチＳＷ１ａをオフ状態とし、スイッチＳＷ１ｂをオン状態とするように指示を送っている。従って、電流制御回路１２１では、ポート１３ａからレギュレータＲＥＧ１への電源経路が遮断されるので、内部回路Ａの消費電流ＩＡは、ポート１３ｂに接続されたレシーバ２０ｂから優先して引き込まれることになる。また、マイコン１４は、電流制御回路１２２に対して、スイッチＳＷ２ａ、ＳＷ２ｂ双方をオフ状態とするように指示を送っている。従って、電流制御回路１２２では、レギュレータＲＥＧ２への電源経路が完全に遮断されるので、内部回路Ｂには消費電流が引き込まれないことになる。また、マイコン１４は、電流制御回路１２３に対して、スイッチＳＷ３ａをオン状態とし、スイッチ３ｂをオフ状態とするように指示を送っている。従って、電流制御回路１２３ではポート１３ｂからレギュレータＲＥＧ３への電源経路が遮断されるので、内部回路Ｃの消費電流ＩＣは、ポート１３ａに接続されたレシーバ２０ａから優先して引き込まれることになる。
【００４７】
上記のように、本実施形態のＬＮＢ１０は、レシーバの接続状況と機種を判別して電流制御回路１２１〜１２３に指示を送るマイコン１４を有して成り、電流制御回路１２１〜１２３は、マイコン１４の指示に応じて、１つの内部回路が複数のレシーバに接続された状態とならないように、かつ、全ての内部回路が１つのレシーバに接続された状態とならないように、各内部回路Ａ〜Ｃへの電源経路を切り換える構成としている。
【００４８】
このような構成とすることにより、前出の第１実施形態と同様、複数接続されたレシーバ２０ａ、２０ｂの供給電圧Ｖａ、Ｖｂが変動しても各々から引き込む電流Ｉａ、Ｉｂに変動を生じることがなく、かつ、各レシーバ２０ａ、２０ｂの電流供給能力を有効に活用することも可能となる。さらに、本実施形態のＬＮＢ１０であれば、レシーバの接続状況や機種に応じて、ＬＮＢ１０の動作に必須でない回路や消費電力の大きい回路（ここでは内部回路Ｂ）への電源供給を遮断することもできるので、ＬＮＢ１０の動作安定性を高めるとともに、消費電力の低減を図ることが可能となる。
【００４９】
また、本実施形態のマイコン１４は、レシーバが複数接続されている場合において、電流供給能力の高いレシーバから優先して、内部回路Ａ〜Ｃの消費電流を引き込むように、電流制御回路１２１〜１２３に指示を送る構成としている。このように、本実施形態のＬＮＢ１０は、全く同一のレシーバが複数接続された場合のみならず、電流供給能力の異なるレシーバが複数接続された場合も想定して成されたものであり、ＬＮＢ１０の全消費電流を単純に等分配することなく、レシーバの電流供給能力に応じて柔軟に対処することできるので、各レシーバの電流供給能力を有効に活用することが可能となる。
【００５０】
なお、電流制御回路１２１〜１２３は、前述したように、内部回路Ａ〜Ｃの駆動電圧ＶＡ〜ＶＣを生成するレギュレータＲＥＧ１〜ＲＥＧ３と、マイコン１４の指示に応じてポート１３ａ、１３ｂからレギュレータＲＥＧ１〜ＲＥＧ３への電源経路を各々開閉するスイッチＳＷ１ａ〜３ａ、ＳＷ１ｂ〜３ｂと、を有して成る構成にするとよい。このような構成とすることにより、比較的簡易な回路構成で、マイコン１４からの指示に応じた電源経路切り換えを実現することが可能となる。
【００５１】
なお、上記の実施形態では、ＬＮＢ１０に接続されるレシーバ数を２台とし、ＬＮＢ１０の内部回路を３つに切り分けた場合を例に挙げて説明を行ったが、本発明の構成はこれに限定されるものではなく、接続されるレシーバ数も内部回路の切り分け数も任意に設定することが可能である。
【００５２】
また、電源回路の構成や動作も上記の実施形態に限定されるものではなく、レシーバの接続状況、或いは接続状況と機種に応じて、内部回路毎に、その消費電流の引き込み先となるレシーバを振り分けることが可能であれば、いかなる構成、動作としても構わない。
【００５３】
また、上記の実施形態では、衛星放送受信システムを構成するＬＮＢに本発明を適用した場合を例示して説明を行ったが、本発明の適用対象はこれに限定されるものではなく、レシーバが複数接続される受信装置全般に広く適用することが可能である。
【産業上の利用可能性】
【００５４】
本発明は、衛星放送受信システムを構成するＬＮＢ等に好適であり、装置の誤動作や受信映像の乱れを防止する手段として非常に有用な技術である。
【図面の簡単な説明】
【００５５】
【図１】は、本発明に係るＬＮＢの構成を概念的に示すブロック図である。
【図２】は、ＬＮＢ１０の一実施形態を示すブロック図である。
【図３】は、電流制御回路１２１〜１２３の第１実施形態を示す回路図である。
【図４】は、スイッチＳＷ１の一構成例を示す回路図である。
【図５】は、電流制御回路１２１〜１２３の第２実施形態を示すブロック図である。
【図６】は、ＬＮＢの一従来例を示すブロック図である。
【符号の説明】
【００５６】
１０    ＬＮＢ
１１    受信回路
１２    電源回路
１２１〜１２３    電流制御回路
１３ａ〜ｂ    ポート
２０ａ〜ｂ    レシーバ
Ａ〜Ｃ    内部回路
Ｄ１ａ〜ｂ、Ｄ２ａ〜ｂ、Ｄ３ａ〜ｂ    ダイオード
ＲＥＧ１〜ＲＥＧ３    レギュレータ
Ｒ１、Ｒ２    抵抗
ＳＷｘ    スイッチ
Ｑａ    ｐｎｐ型バイポーラトランジスタ
Ｑｂ    ｎｐｎ型バイポーラトランジスタ
Ｒａ〜Ｒｄ    抵抗
【図１】
2005102016.tif 000003
【図２】
2005102016.tif 000004
【図３】
2005102016.tif 000005
【図４】
2005102016.tif 000006
【図５】
2005102016.tif 000007
【図６】
2005102016.tif 000008
【手続補正書】
【提出日】平成16年9月16日(2004.9.16)
【手続補正１】
【補正対象書類名】明細書
【補正対象項目名】０００４
【補正方法】変更
【補正の内容】
【０００４】
なお、直流電圧Ｖａ、Ｖｂは、レギュレータＲＥＧの入力電圧として用いられる一方、受信回路１０１の出力選択信号としても用いられており、所望チャンネル信号の周波数帯域に応じて、各々複数の電圧レベル（例えば、１３［Ｖ］と１８［Ｖ］の２値）に変遷される。このとき、直流電圧Ｖａが直流電圧Ｖｂより高ければ、ダイオードＤａのみがオン状態となり、直流電圧ＶａがレギュレータＲＥＧの入力電圧とされる。逆に、直流電圧Ｖｂが直流電圧Ｖａより高い場合は、ダイオードＤｂのみがオン状態となり、直流電圧ＶｂがレギュレータＲＥＧの入力電圧とされる。
【特許文献１】特開２００２−２１８３２９号公報
【特許文献２】特開２００１−１２７６６１号公報
【手続補正２】
【補正対象書類名】明細書
【補正対象項目名】００４１
【補正方法】変更
【補正の内容】
【００４１】
次に、電流制御回路１２１〜１２３の第２実施形態について、図５を参照しながら詳細に説明する。図５は電流制御回路１２１〜１２３の第２実施形態を示す回路図である。